(57)【要約】【課題】互いに間隔を空けて対向する二つのリング部どうしの間隔管理が容易な表示装置を提供する【解決手段】リング状の発光部１３を形成する表示部材１と、この表示部材１上に設けられるリング部材２とを備えた表示装置において、リング部材２は底部２１１と第１の壁部２１２と第２の壁部２１３とを有する断面凹形状の透光部材２１と、第１の壁部２１２に固定される遮光部材２２とでなり、この遮光部材２２に第１のリング部２２２を設け、この第１のリング部２２２に第１の反射部２２３を設け、第２の壁部２１３を第２のリング部として設け、少なくとも第１の反射部２２３と対向する第２の壁部２１３の部分領域に第２の反射部２１５を形成する遮光性の反射部材２３を設けた。【選択図】図３
2011022048.tif 000002
【特許請求の範囲】
【請求項１】
リング状の発光部を形成する表示部材と、この表示部材上に設けられ前記発光部からの光を前記表示部材の面方向に沿って反射する第１の反射部を有する第１のリング部と、この第１のリング部と同心関係となるよう前記表示部材上に設けられ前記第１の反射部からの反射光を受けて光輝する第２の反射部を有する第２のリング部とを有するリング部材とを備えた表示装置において、前記リング部材は前記発光部に沿う底部と当該底部を挟んで前方に突出する第１の壁部と第２の壁部とを有する断面凹形状の透光部材と、前記第１の壁部に固定される遮光部材とでなり、この遮光部材に前記底部の前方を覆うように前記第２の壁部側に延びる前記第１のリング部を設け、この第１のリング部の前記底部及び前記第２の壁部との対向面に前記第１の反射部を設け、前記第２の壁部を第２のリング部として設け、少なくとも前記第１の反射部と対向する前記第２の壁部の部分領域に前記第２の反射部を形成する遮光性の反射部材を設けたことを特徴とする表示装置。
【請求項２】
前記遮光部材が前記第１の壁部をその壁面に沿って覆う遮光部を有することを特徴とする請求項１記載の表示装置。
【請求項３】
前記反射部材が前記第２の壁部をその壁面に沿って覆う延長部を有することを特徴とする請求項１記載の表示装置。
【発明の詳細な説明】
【技術分野】
【０００１】
本発明は、例えば自動車やオートバイに搭載される表示装置に関し、特にリング形状の加飾部材を備えた表示装置に関する。
【背景技術】
【０００２】
この種の表示装置として例えば下記特許文献１に記載されたものが知られている。この表示装置は、指針に対応した指標部を有する文字板からなる表示部材（文字板３０）と、この表示部材上に配置される第１のリング部（環状部材４０）と、同じく表示部材上に配置され第１のリング部よりも経大な第２のリング部（フィニッシャ５０）と、表示部材を通じて第２のリング部を照明する光源（発光ダイオード１１）とを備えている。第１，第２のリング部間に位置する表示部材領域はリング状に発光する透光部（リング部材用透光部３５）として形成され、第１のリング部は表示部材から離れるに従って表示部との距離が大きくなるように傾斜し透光部を前方から覆う反射面（リング部材反射面）を有している。そして透光部を透過した光は、第１のリング部の反射面で表示部材の面方向に沿って反射され、その反射光が第２のリング部の壁面を照らすことによりリング状に発光する光輝面を形成するものである。
【先行技術文献】
【特許文献】
【０００３】
【特許文献１】特開２００８−２６１６６４号公報
【発明の開示】
【発明が解決しようとする課題】
【０００４】
しかしながら、前記特許文献１の表示装置は、第１，第２のリング部が独立した専用部品からなるため、第１，第２のリング部どうしの間隔を一定に保つことが難しく、同心配置される第１，第２のリング部材の間隔が僅かでもずれると見栄えに大きく影響を及ぼすという問題がある。
【０００５】
そこで、本発明は前述した問題点に着目し、互いに間隔を空けて対向する二つのリング部どうしの間隔管理が容易な表示装置を提供することを目的とする。
【課題を解決するための手段】
【０００６】
本発明は、リング状の発光部を形成する表示部材と、この表示部材上に設けられ前記発光部からの光を前記表示部材の面方向に沿って反射する第１の反射部を有する第１のリング部と、この第１のリング部と同心関係となるよう前記表示部材上に設けられ前記第１の反射部からの反射光を受けて光輝する第２の反射部を有する第２のリング部とを有するリング部材とを備えた表示装置において、前記リング部材は前記発光部に沿う底部と当該底部を挟んで前方に突出する第１の壁部と第２の壁部とを有する断面凹形状の透光部材と、前記第１の壁部に固定される遮光部材とでなり、この遮光部材に前記底部の前方を覆うように前記第２の壁部側に延びる前記第１のリング部を設け、この第１のリング部の前記底部及び前記第２の壁部との対向面に前記第１の反射部を設け、前記第２の壁部を第２のリング部として設け、少なくとも前記第１の反射部と対向する前記第２の壁部の部分領域に前記第２の反射部を形成する遮光性の反射部材を設けたことを特徴とする。
このように構成したことにより、第１のリング部と第２のリング部とが透光性連結部となる底部によって連結されるため、互いに間隔を空けて対向する二つのリング部どうしの間隔管理を容易とし、見栄え品質を向上させることができる。
【０００７】
また本発明は、前記遮光部材が前記第１の壁部をその壁面に沿って覆う遮光部を有することを特徴とする。
このように構成したことにより、第１の壁部を遮光するにあたり専用の遮光部材が不要となりコストダウンを達成することができる。
【０００８】
また本発明は、前記反射部材が前記第２の壁部をその壁面に沿って覆う延長部を有することを特徴とする。
このように構成したことにより、第２の壁部を遮光するにあたり専用の遮光部材が不要となりコストダウンを達成することができる。
【発明の効果】
【０００９】
本発明によれば、互いに間隔を空けて対向する二つのリング部どうしの間隔管理が容易な表示装置を提供することができる。
【図面の簡単な説明】
【００１０】
【図１】本発明の一実施形態を示す正面図。
【図２】図１のＡ−Ａ断面図。
【図３】図２の要部拡大図。
【発明を実施するための形態】
【００１１】
以下、本発明の実施形態を図１〜図３を用いて説明する。
本実施形態の表示装置は、例えば車両の速度を表示するものであり、表示部材１とリング部材２とを備えている。
【００１２】
表示部材１は、例えばＴＦＴ型液晶ディスプレイからなる画像表示装置を適用でき、背後に図示しないバックライトを備えると共に図示しない制御手段の制御のもと、車速に応じて回転する指針１１と、この指針１１の指示対象となる目盛、数字からなる指標部１２と、指標部１２の外周をリング状に取り巻く発光部１３とを画像表示する。なおこの場合、指針１１と指標部１２は、画像情報として利用者から直接視認されるが、発光部１３は利用者から直接視認されない。
【００１３】
リング部材２は、発光部１３に沿うように表示部材１の画面上に直接または空間を有して配置されている。
【００１４】
このリング部材２は、例えば透光性合成樹脂からなる透光部材２１と、遮光性合成樹脂からなる遮光部材２２と、遮光性の塗膜層からなる反射部材２３とで構成されている。
【００１５】
透光部材２１は、例えばシルバー色であり、発光部１３に沿ってリング状に延びる平面形状を有する底部２１１と、当該底部２１１を挟んで前方（利用者または観察者側となる矢印Ｄ１方向）に突出する平面形状がリング状の第１の壁部２１２及び第２の壁部２１３とを有しており、その半径方向の断面形状は凹形状となっており、これら第１，第２の壁部２１２，２１３は、第２の壁部が第１の壁部２１３よりも径大且つ指針１１を基準として見たとき外側に位置して形成され、所定の間隔Ｓを有して表示部材１の面方向（両矢印Ｄ２方向）に対向する。
【００１６】
遮光部材２２は、第１の壁部２１２に固定されており、遮光部２２１と、第１のリング部２２２とを有している。
【００１７】
遮光部２２１は、遮光部材２２を第１の壁部２１２に固定する際の固定部となると共に第１の壁部２１２の内周及び外周側面（壁面）を覆い、発光部１３から透光部材２１に入射した光が外部に漏れるのを抑制している。なおこの遮光部２２１は、発光部１３からの光が底部２１１を通過できるように底部２１１の対応箇所は覆わないように設けられている。
【００１８】
第１のリング部２２２は、第１の壁部２１２の先端から底部２１１の前方を空間を空けて覆うように第２の壁部２１３側に延びている。この場合、第１のリング部２２２は、第２の壁部２１３に近づくに従って底部２１１から遠ざかるように傾斜した傾斜部として設けられており、その先端部は底部２１１上を越えて第２の壁部２１３と矢印Ｄ１方向においてラップしており、これにより、底部２１１が直接視認されないようになっている。
【００１９】
この第１のリング部２２２の底部２１１及び第２の壁部２１３との対向面には、第１の反射部２２３が形成され、この第１の反射部２２３によって底部２１１を透過した発光部１３からの光を面方向Ｄ２に沿って反射する。
【００２０】
第２の壁部２１３は、この場合、第２のリング部として設けられており、第１の反射部２２３と対向する第２の壁部２１３の部分領域は、第１の反射部２２３から離れるに従って表示部材１から遠ざかる壁面２１４として形成され、この壁面２１４に遮光性の塗膜層からなる反射部材２３を形成して第１の反射部２２３からの光を受けてリング状に発光する第２の反射部２１５を形成している。
【００２１】
この場合、反射部材２３は、遮光部材２２と同色であり、壁面２１４から連続して第２の壁部２１３の内周及び外周を覆う延長部２３１を有している。またこの反射部材２３は、発光部１３からの光が底部２１１を通過できるように底部２１１の対応箇所は覆わないように設けられている。
【００２２】
なお反射部材２３は、塗膜層ではなく、合成樹脂等の成型品であってもよい。
【００２３】
以上のように本実施形態では、リング状の発光部１３を形成する表示部材１と、この表示部材１上に設けられ発光部１３からの光を表示部材１の面方向Ｄ１に沿って反射する第１の反射部２２３を有する第１のリング部２２２と、この第１のリング部２２２と同心関係となるよう表示部材１上に設けられ第１の反射部２２３からの反射光を受けて光輝する第２の反射部２１５を有する第２のリング部（第２の壁部）２１３とを有するリング部材２とを備えた表示装置において、リング部材２は発光部１３に沿う底部２１１と当該底部２１１を挟んで前方に突出する第１の壁部２１２と第２の壁部２１３とを有する断面凹形状の透光部材２１と、第１の壁部２１２に固定される遮光部材２２とでなり、この遮光部材２２に底部２１１の前方を覆うように第２の壁部２１３側に延びる第１のリング部２２２を設け、この第１のリング部２２２の底部２１１及び第２の壁部２１３との対向面に第１の反射部２２３を設け、第２の壁部２１３を第２のリング部として設け、少なくとも第１の反射部２２３と対向する第２の壁部２１３の部分領域に第２の反射部２１５を形成する遮光性の反射部材２３を設けたことにより、第１のリング部２２２と第２のリング部２１３とが透光性連結部となる底部２１１によって連結されるため、互いに間隔Ｓを空けて対向する二つのリング部２２２，２１３どうしの間隔管理を容易とし、見栄え品質を向上させることができる。
【００２４】
また本実施形態は、遮光部材２２が第１の壁部２１２をその壁面に沿って覆う遮光部２２１を有することにより、第１の壁部２１２を遮光するにあたり専用の遮光部材が不要となりコストダウンを達成することができる。
【００２５】
また本実施形態は、反射部材２３が第２の壁部２１３をその壁面に沿って覆う延長部２３１を有することにより、第２の壁部２１３を遮光するにあたり専用の遮光部材が不要となりコストダウンを達成することができる。
【００２６】
なお前記実施形態では、表示部材１として画像表示装置を用いたが、周知な印刷パネルを用いてもよい。
【００２７】
また透光部材２１や遮光部材２２は、他の部材、例えば表示部材１の周囲を覆う見返し板や加飾部材と兼用することもできる。
【符号の説明】
【００２８】
１  表示部材
２  リング部材
１１  指針
１２  指標部
１３  発光部
２１  透光部材
２２  遮光部材
２３  反射部材
２１１  底部
２１２  第１の壁部
２１３  第２の壁部（第２のリング部）
２１４  壁面
２１５  第２の反射部
２２１  遮光部
２２２  第１のリング部
２３３  第１の反射部
Ｄ１  矢印
Ｄ２  矢印
【図１】
2011022048.tif 000003
【図２】
2011022048.tif 000004
【図３】
2011022048.tif 000005